(57)【要約】【課題】    使用者が十分にリラックスしたりリフレッシュしたりできる照明を行うとともに、室内のコーディネートを容易に行うことができ、且つ、設置スペースが少ない照明装置を提供すること。【解決手段】床面３０近傍から天井面３１近傍まで上下方向に延びた照明装置本体１１を有し、この照明装置本体１１には、内部に色温度の異なる複数の光源２０が上下方向に並んで設けられるとともに、この複数の光源２０を使用目的に応じて選択的に点灯させる切替選択手段（コントロール装置）１２を備えている。【選択図】  図１
2006085991.tif 000002
【特許請求の範囲】
【請求項１】
床面近傍から天井面近傍まで上下方向に延びた照明装置本体を有し、該照明装置本体に
は、内部に色温度の異なる複数の光源が上下方向に並んで設けられるとともに、該複数の
光源を使用目的に応じて選択的に点灯させる切替選択手段を備えていることを特徴とする
照明装置。
【請求項２】
請求項１に記載の照明装置において、前記複数の光源は、使用者がリフレッシュしたい
場合に点灯する高色温度の光源と、使用者がリラックスしたい場合に点灯する低色温度の
光源とを有していることを特徴とする照明装置。
【請求項３】
請求項２に記載の照明装置において、前記高色温度の光源は上側に配設され、前記低色
温度の光源は下側に配設されていることを特徴とする照明装置。
【請求項４】
請求項２または３に記載の照明装置において、前記高色温度の光源は昼光または昼白色
の蛍光灯であり、前記低色温度の光源は白熱色の蛍光灯または白熱灯であることを特徴と
する照明装置。
【請求項５】
請求項２ないし４のいずれか一つに記載の照明装置において、前記高色温度の光源及び
前記低色温度の光源は、それぞれ複数設けられていることを特徴とする照明装置。
【請求項６】
請求項１ないし５のいずれか一つに記載の照明装置において、前記照明装置本体は、床
面から天井面まで延びる柱形状を呈しており、下端部が前記床面に接触し且つ上端部が前
記天井面に接触していることを特徴とする照明装置。
【請求項７】
請求項１ないし６のいずれか一つに記載の照明装置において、前記照明装置本体は、壁
面に設けられたコンセントの周囲を覆う囲い手段を備えていることを特徴とする照明装置
。
【請求項８】
請求項１ないし７のいずれか一つに記載の照明装置において、前記照明装置本体は、透
光性を有したハウジングと、該ハウジング内を前後に仕切る遮光性を有した遮光板とを備
え、前記複数の光源は前記遮光板の後方に配設されたことを特徴とする照明装置。
【請求項９】
請求項１ないし８のいずれか一つに記載の照明装置において、前記照明装置本体は、前
記複数の光源を点灯させるための電源を蓄積する蓄電手段を備えていることを特徴とする
照明装置。
【請求項１０】
請求項１ないし９のいずれか一つに記載の照明装置において、前記照明装置本体は、上
下方向中間部に収納部が設けられたことを特徴とする照明装置。
【請求項１１】
請求項１ないし１０のいずれか一つに記載の照明装置において、前記照明装置本体は、
部屋の角部にほぼ密着するように屈曲した屈曲背面部を備えているとともに、室内に対向
し且つ開閉自在な前面蓋部を備えていることを特徴とする照明装置。
【請求項１２】
請求項１ないし１１のいずれか一つに記載の照明装置において、前記照明装置本体は、
壁面に密着する取付フランジ部を有していることを特徴とする照明装置。
【請求項１３】
請求項１ないし１２のいずれか一つに記載の照明装置を用いて室内照明を行うことを特
徴とする部屋。
【発明の詳細な説明】
【技術分野】
【０００１】
本発明は、照明装置本体の内部に配設された光源を点灯させて室内を照明し、使用者を
リフレッシュさせたりリラックスさせたりする照明装置及びそれを用いた部屋に関する発
明である。
【背景技術】
【０００２】
従来、室内を照明する照明装置とてしは、図１０に示すようなものが知られている。
【０００３】
この照明装置１は、天井面２に設置された照明装置本体３と、室内の照度を検知する照
度センサ４と、室内の照度を設定するリモコン５とを備えている（例えば、特許文献１参
照）。
【０００４】
そして、照明装置本体３の内部には、蛍光灯６及びこの蛍光灯６の光出力を調整する出
力調整手段７が設けられている。
【０００５】
また、照度センサ４には、この照度センサ４により検出された照度に応じて蛍光灯６の
光出力を制御する制御信号を出力調整手段７に送信する照明制御装置８が接続されている
。
【０００６】
この照明装置１によって室内を照明するには、まずリモコン５を介して、使用者が任意
に設定した室内の照度を、照度センサ４の照明制御装置８内の図示しない記憶部に目標照
度として記憶させる。
【０００７】
次に、蛍光灯６を点灯させて室内を照明する。このとき、室内の照度は照度センサ４に
よって検出され、記憶部に記憶された目標照度と比較される。
【０００８】
そして、記憶部での比較に基づいて室内の照度が目標照度と同等になるように照明制御
装置８から制御信号が送信され、出力調整手段７が蛍光灯６の光出力を調整する。これに
より、室内の照度が変化し、使用者がリラックスしたい場合やリフレッシュしたい場合等
の使用者の目的に応じた照度で室内を照明するようになっている。
【０００９】
また、室内の照明を使用者の目的に応じた照明とするために、白熱色（電球色）の光源
と昼白色の光源とが交換可能に設けられた照明装置も考えられている。
【００１０】
さらに、よりくつろぎ感を増加させて十分にリラックスする照明を行うために、室内の
上方を照明するスタンド型の照明と、室内の下方を照明するアッパーライト型の照明とを
組み合わせた多灯照明や部分照明も考えられている。
【特許文献１】特開２００３−２５７６７８号公報（図１、段落００２７〜段落００３７）
【発明の開示】
【発明が解決しようとする課題】
【００１１】
ところで、上述の照明装置１では、照明装置本体３が天井面２に設置されているので、
室内のほぼ全体を照射してしまい、照度を低く設定しても室内全体が明るくなって十分に
落ち着いた照明を行うことが難しかった。
【００１２】
さらに、白熱色（電球色）の光源と昼白色の光源とが交換可能に設けられた照明装置で
あっても、照明装置本体が天井面に設けられたいわゆる天井照明である。そのため、使用
者の足元を照明するような下部配光による照射を行うことができず、光源を交換してもく
つろぎ感を感じてリラックスすることが十分に行えないという問題があった。
【００１３】
また、室内の上方と下方をそれぞれ照射する照明装置を組み合わせた多灯照明や部分照
明では、複数の照明装置が必要となるので、室内のコーディネートが難しくなるという問
題が発生する。
【００１４】
さらに、この場合では、照明装置を必要に応じて適宜増加させていく必要があり、照明
装置に応じた新たな設置スペースが必要となって、部屋が狭くなってしまうという問題も
あった。
【００１５】
そこで、この発明は、使用者が十分にリラックスしたりリフレッシュしたりできる照明
を行うとともに、室内のコーディネートを容易に行うことができ、且つ、設置スペースが
少ない照明装置を提供することを課題としている。
【課題を解決するための手段】
【００１６】
上記課題を解決するために、請求項１に記載の発明は、床面近傍から天井面近傍まで上
下方向に延びた照明装置本体を有し、この照明装置本体には、内部に色温度の異なる複数
の光源が上下方向に並んで設けられるとともに、この複数の光源を使用目的に応じて選択
的に点灯させる切替選択手段を備えていることを特徴としている。
【００１７】
請求項２に記載の発明は、請求項１に記載の照明装置において、複数の光源が、使用者
がリフレッシュしたい場合に点灯する高色温度の光源と、使用者がリラックスしたい場合
に点灯する低色温度の光源とを有していることを特徴としている。
【００１８】
請求項３に記載の発明は、請求項２に記載の照明装置において、高色温度の光源が上側
に配設され、低色温度の光源が下側に配設されていることを特徴としている。
【００１９】
請求項４に記載の発明は、請求項２または３に記載の照明装置において、高色温度の光
源が昼光または昼白色の蛍光灯であり、低色温度の光源が白熱色の蛍光灯または白熱灯で
あることを特徴としている。
【００２０】
請求項５に記載の発明は、請求項２ないし４のいずれか一つに記載の照明装置において
、高色温度の光源及び低色温度の光源が、それぞれ複数設けられていることを特徴として
いる。
【００２１】
請求項６に記載の発明は、請求項１ないし５のいずれか一つに記載の照明装置において
、照明装置本体が、床面から天井面まで延びる柱形状を呈しており、下端部が床面に接触
し且つ上端部が天井面に接触していることを特徴としている。
【００２２】
請求項７に記載の発明は、請求項１ないし６のいずれか一つに記載の照明装置において
、照明装置本体が、壁面に設けられたコンセントの周囲を覆う囲い手段を備えていること
を特徴としている。
【００２３】
請求項８に記載の発明は、請求項１ないし７のいずれか一つに記載の照明装置において
、照明装置本体が、透光性を有したハウジングと、このハウジング内を前後に仕切る遮光
性を有した遮光板とを備え、複数の光源が遮光板の後方に配設されたことを特徴としてい
る。
【００２４】
請求項９に記載の発明は、請求項１ないし８のいずれか一つに記載の照明装置において
、照明装置本体が、複数の光源を点灯させるための電源を蓄積する蓄電手段を備えている
ことを特徴としている。
【００２５】
請求項１０に記載の発明は、請求項１ないし９のいずれか一つに記載の照明装置におい
て、照明装置本体が、上下方向中間部に収納部が設けられたことを特徴としている。
【００２６】
請求項１１に記載の発明は、請求項１ないし１０のいずれか一つに記載の照明装置にお
いて、照明装置本体が、部屋の角部にほぼ密着するように屈曲した屈曲背面部を備えてい
るとともに、室内に対向し且つ開閉自在な前面蓋部を備えていることを特徴としている。
【００２７】
請求項１２に記載の発明は、請求項１ないし１１のいずれか一つに記載の照明装置にお
いて、照明装置本体が、壁面に密着する取付フランジ部を有していることを特徴としてい
る。
【００２８】
請求項１３に記載の発明は、請求項１ないし１２のいずれか一つに記載の照明装置を用
いて室内照明を行うことを特徴としている。
【発明の効果】
【００２９】
このように構成された本願発明の請求項１に記載された発明によると、切替選択手段に
よって点灯する光源を適宜切り替え、使用目的に応じた色温度の照明を行うことができる
。そのため、使用者が十分にリラックスしたりリフレッシュしたりできる。
【００３０】
また、照明装置本体が床面近傍から天井面近傍まで上下方向に延びるとともに、光源が
上下方向に並んで設けられているので、室内全体を明るくするだけでなく、点灯させる光
源の位置によって使用者の足元付近のみを照射することも可能となる。
【００３１】
これにより落ち着いた照明を行うことができ、くつろいだ雰囲気を十分につくることが
可能となる。
【００３２】
さらに、複数の照明装置が不要となり、少ない設置スペースであっても配置可能となっ
て設置スペースが大きくなることを防止できる。また、照明装置がひとつなので室内のコ
ーディネートも容易に行うことができる。
【００３３】
請求項２に記載された発明によると、請求項１の効果に加え、複数の光源が使用目的に
応じた色温度の光源を備えているので、使用者に十分なリフレッシュ感やリラックス感を
感じさせることが可能となり、使用者をよりリフレッシュさせたりリラックスさせたりで
きる。
【００３４】
請求項３に記載された発明によると、請求項２の効果に加え、高色温度の光源が上側に
配設されているので、リフレッシュ感を与える高色温度の光源で室内全体を照射すること
ができ、使用者をより覚醒させてリフレッシュさせることが可能となる。
【００３５】
また、低色温度の光源が下側に配設されているので、リラックス感を与える低色温度の
光源で使用者の足元付近を照射することができ、より落ち着いた雰囲気を作ることができ
て、十分にリラックス感を与えることが可能となる。
【００３６】
請求項４に記載された発明によると、請求項２または３の効果に加え、高色温度の光源
が及び低色温度の光源は、容易に入手することができ、製造コストを抑制することができ
る。また、複数の光源の一部が使用できなくなっても、すぐに取り替えることができる。
【００３７】
請求項５に記載された発明によると、請求項２ないし４のいずれか一つの効果に加え、
高色温度の光源及び低色温度の光源が、それぞれ複数設けられているので、使用目的に応
じた適切な調光を確実に行うことが可能となる。
【００３８】
請求項６に記載された発明によると、請求項１ないし５のいずれか一つの効果に加え、
照明装置本体が柱形状を呈しているので、設置スペースがより小さくなって邪魔にならな
い。
【００３９】
また、上下端面がそれぞれ床面と天井面とに接触しているので、照明装置本体の内部に
塵埃が侵入することを防止できる。そのため、光源に塵埃が付着して照度が低下すること
がなくなる。
【００４０】
請求項７に記載された発明によると、請求項１ないし６のいずれか一つの効果に加え、
照明装置本体がコンセントの周囲を覆う囲い手段を備えているので、この囲い手段により
コンセントに塵埃が付着することを防止できる。そのため、照明装置本体を壁面近傍に設
置した際に、コンセントが照明装置本体の裏側になって掃除しにくくなっても、コンセン
トに塵埃が付着せず、漏電等の事故が発生するおそれがなくなる。
【００４１】
請求項８に記載された発明によると、請求項１ないし７のいずれか一つの効果に加え、
透光性を有したハウジングの内部を前後に仕切る遮光板の後方に光源が配設されたので、
壁面に直接照射することができるとともに、前方に向かって照射される光はハウジングを
介して前方へ回り込んだ柔らかい感じの光となる。また、前方から光源が直接見えなくな
る。これにより、いわゆる間接照明のような照明を行うことができ、特にリラックス感を
高める照明を行うことが可能となる。
【００４２】
請求項９に記載された発明によると、請求項１ないし８のいずれか一つの効果に加え、
照明装置本体が蓄電手段を備えているので、コンセントがない場合であっても任意の場所
に設置することができる。また、電源コードが不要となって外観品質が向上する。
【００４３】
請求項１０に記載された発明によると、請求項１ないし９のいずれか一つの効果に加え
、照明装置本体の上下方向中間部に収納部が設けられたので、室内の照明だけでなく収納
機能も備えることができて、使い勝手が向上する。また、上側に配設された光源と下側に
配設された光源との間が十分に広くなり、よりリフレッシュ感やリラックス感を高めるこ
とも可能となる。
【００４４】
請求項１１に記載された発明によると、請求項１ないし１０のいずれか一つの効果に加
え、照明装置本体の屈曲背面部を部屋の角部にほぼ密着させて配置することができる。そ
のため、照明装置本体が邪魔にならず、室内を広く使用することができる。
【００４５】
また、前面パネルが開閉自在になっているので、光源の交換を容易に行うことができる
とともに、照明装置本体の内部の掃除を容易に行うことができる。
【００４６】
請求項１２に記載された発明によると、請求項１ないし１２のいずれか一つの効果に加
え、取付フランジを壁面に密着させて照明装置本体を設置することが可能となる。これに
より、壁面と照明装置本体との間に塵埃が侵入することを防止できる。
【００４７】
請求項１３に記載された発明によると、使用者が十分にリフレッシュしたりリラックス
したりできる室内照明の部屋を提供することが可能となる。
【発明を実施するための最良の形態】
【００４８】
次に、図面に基づいて、この発明を実施するための最良の実施の形態の照明装置を説明
する。
【００４９】
図１に示す１０は照明装置であり、この照明装置１０は照明装置本体１１を備えている
。そして、この照明装置本体１１の内部には、色温度の異なる複数の光源２０が設けられ
ている。また、１２は複数の光源２０を選択的に点灯させる切替選択手段であるコントロ
ール装置である。
【００５０】
照明装置本体１１は、図６に示すように、部屋Ｒの床面３０から天井面３１まで上下方
向に沿って延びた、いわゆる柱形状を呈している。そして、照明装置本体１１の下端部１
１ａは床面３０に気密状態で接触し、上端部１１ｂは天井面３１に気密状態で接触してい
る。
【００５１】
また、この照明装置本体１１は、図５に示すように、部屋Ｒの角部Ｃ近傍に設けられて
いる。
【００５２】
そして、この照明装置本体１１は、図１に示すように、透光性を有するハウジング１３
と、このハウジング１３内を前後方向に仕切る遮光性を有する遮光板１４とを備えている
。
【００５３】
ここで、ハウジング１３は、透明なアクリル板やガラス板等によって形成されている。
なお、このハウジング１３は、光源２０の光を透過すれば乳白色や不透明色であってもよ
い。
【００５４】
さらに、このハウジング１３内の上下方向のほぼ中央部には、一対の仕切板１５ａ、１
５ｂが上下に並設されている。そして、この仕切板１５ａ、１５ｂによって、ハウジング
１３内は上方から順に第一区画１３ａ、第二区画１３ｂ、第三区画１３ｃに区画されてい
る。
【００５５】
一方、遮光板１４は、鉄板やアルミニウム板等の金属で形成されている。なお、この遮
光板１４は、光源２０による熱影響を受けやすいので耐熱性の高い材質であることが好ま
しい。また、この遮光板１４は、ここでは第一区画１３ａと第三区画１３ｃとに設けられ
ている。
【００５６】
さらに、この照明装置本体１１のハウジング１３は、部屋Ｒの壁面Ｈに対向した背面側
に、部屋Ｒの角部Ｃにほぼ密着するように屈曲した屈曲背面部１６ａを備え、部屋Ｒの室
内に対向した前面側に、開閉自在に取り付けられた前面パネル１６ｂを備えている。
【００５７】
屈曲背面部１６ａは、図５に示すように、ほぼ直角に屈曲するとともに、壁面Ｈ側に向
かって突出している。そして、この屈曲背面部１６ａには、図５のように壁面Ｈに形成さ
れたコンセントＫに適宜接続されるプラグ１７が設けられている。
【００５８】
プラグ１７は、図２及び図３に示すように、屈曲背面部１６ａに形成されたスリット１
８の内側に摺動可能に嵌合している。そして、このプラグ１７は、屈曲背面部１６ａに沿
って両側から突出したフランジ１７ａ及び屈曲背面部１６ａをともに貫通するネジ１９に
よって、屈曲背面部１６ａに固定されている。
【００５９】
なお、このプラグ１７は、ハウジング１３内に配設された電線（図示せず）を介して光
源２０に接続されている。
【００６０】
また、スリット１８は、上下方向に沿って形成されており、上下端部近傍には伸縮自在
な蛇腹状に形成された遮断板１８ａ、１８ｂがそれぞれ設けられている。
【００６１】
そして、スリット１８の上側に設けられた上側遮断板１８ａは、プラグ１７の上面１７
ｂにほぼ接触するまで下方に向かって伸ばされ、スリット１８の下側に設けられた下側遮
断板１８ｂは、プラグ１７の下面１７ｃにほぼ接触するまで上方に向かって伸ばされてい
る。これより、プラグ１７の上下に開いたスリット１８は閉成されている。
【００６２】
前面パネル１６ｂは、図１に示すように、第一区画１３ａ〜第三区画１３ｃのそれぞれ
に設けられている。各前面パネル１６ｂは、側部に設けられた複数の係止爪１６ｃがハウ
ジング１３に形成された複数の凹部１６ｄにそれぞれ係止することによって固定されてい
る。そして、この係止爪１６ｃを凹部１６ｄから取り外すことによって各前面パネル１６
ｂは開閉自在となっている。
【００６３】
なお、この前面パネル１６ｂは、使用者の所望に応じて透明、乳白色、不透明等のアク
リル板、ガラス板等に変更することができる。そのため、ＴＰＯに応じた照明を行うこと
が可能となっている。
【００６４】
また、第二区画１３ｂに設けられた前面パネル１６ｂには、開口部が形成されており、
蓋体１３ｄが開閉自在に設けられている。
【００６５】
そして、第一区画１３ａ及び第三区画１３ｃ内には異なる色温度の光源２０がそれぞれ
配設され、上下方向中間部に位置する第二区画１３ｂはリモコン等が収納可能な収納部と
なっている。
【００６６】
コントロール装置１２は、光源２０を点消灯させるＯＮ／ＯＦＦスイッチと、複数の光
源２０を選択的に点消灯させる切替スイッチとが設けられている。また、このコントロー
ル装置１２にはワイヤレスのリモコンが用いられている。
【００６７】
また、照明装置本体１１には、図４に示すように、受信装置１２ａ、制御回路１２ｂ、
電源回路１２ｃが設けられている。そして、コントロール装置１２から送信されるＯＮ／
ＯＦＦ切替選択信号が受信装置１２ａで受信されると、このＯＮ／ＯＦＦ切替選択信号が
受信装置１２ａから制御回路１２ｂに入力されるようになっている。この制御回路１２ｂ
は、ＯＮ／ＯＦＦ切替選択信号を受けると、電源回路１２ｃを作動制御して、光源２０の
後述する第一、第二蛍光灯２１ａ、２１ｂ及び第一〜第四白熱灯２２ａ〜２２ｄのうち切
替選択されたものを点灯制御するようになっている。
【００６８】
図６のように光源２０は、天井面３１近傍の第一区画１３ａと、床面３０近傍の第三区
画１３ｃにそれぞれ配設されているので、上下方向に並んで位置することとなる。また、
ここでは、光源２０は、遮光板１４に形成された図示しない取付孔を介して、遮光板１４
と前面パネル１６ｂとの間に設けられている。
【００６９】
そして、上側の第一区画１３ａ内に配設された光源２０は、高色温度である昼光または
昼白色の一対の第一蛍光灯２１ａと第二蛍光灯２１ｂ、ここではそれぞれ４０Ｗの蛍光灯
である。なお、この第一、第二蛍光灯２１ａ、２１ｂは、左右方向に並設されている。
【００７０】
また、下側の第三区画１３ｃ内に配設された光源２０は、低色温度である四個の第一〜
第四白熱灯２２ａ〜２２ｄ、ここではそれぞれいわゆるミニクリプトン電球である。なお
、この第一〜第四白熱灯２２ａ〜２２ｄは、上下方向に並設されている。なお、この低色
温度の光源２０は、２０Ｗの白熱色蛍光灯であってもよい。
【００７１】
次に、この発明の照明装置１０の作用について説明する。
【００７２】
この照明装置１０を使用するには、まず、コントロール装置１２のＯＮ／ＯＦＦスイッ
チをＯＮして光源２０を点灯させる。このとき、第一、第二蛍光灯２１ａ、２１ｂがまず
点灯するようになっている。
【００７３】
その後、使用者の使用目的に応じて切替選択手段であるコントロール装置１２を操作し
て任意の光源２０を選択的に切り替えて点消灯する。
【００７４】
部屋Ｒ内を比較的明るくして、使用者がリフレッシュしたい場合には、照明装置本体１
１の上部に位置する第一区画１３ａに配設された第一、第二蛍光灯２１ａ、２１ｂを点灯
させる。
【００７５】
このとき、第一、第二蛍光灯２１ａ、２１ｂは、図６（ａ）に示すように、使用者の上
方からリフレッシュ感を与える高色温度の光を照射するので、部屋Ｒの内部全体を明るく
照らし、使用者を十分に覚醒させてリフレッシュさせることができる。
【００７６】
また、室内の明るさを比較的抑制したい場合には、コントロール装置１２を操作して第
一蛍光灯２１ａのみを点灯させ第二蛍光灯２１ｂを消灯する。これにより室内の明るさが
抑制され、使用者の目的に応じた照明となる。
【００７７】
また、部屋Ｒ内を比較的暗くして、使用者がリフレッシュしたい場合には、コントロー
ル装置１２を操作して、第一、第二蛍光灯２１ａ、２１ｂを消灯するとともに照明装置本
体１１の下部である第三区画１３ｃに配設された第一〜第四白熱灯２２ａ〜２２ｄを点灯
させる。
【００７８】
このとき、第一〜第四白熱灯２２ａ〜２２ｄは、図６（ｂ）に示すように、リラックス
感を与える低色温度の光で使用者の足元を照射するので、より落ち着いた雰囲気を作るこ
とができて、使用者が十分リラックスすることが可能となる。
【００７９】
また、室内の明るさを比較的抑制したい場合には、コントロール装置１２を操作してま
ず最も上方に位置している第一白熱灯２２ａを消灯する。さらに室内の明るさを抑制した
い場合には、次に上方に位置している第二白熱灯２２ｂを消灯し、続いて第三白熱灯２２
ｃを消灯する。
【００８０】
このように、上方に位置した第一白熱灯２２ａから順に消灯することによって、明るさ
が徐々に低下するとともに照射される位置が低くなり、よりリラックス効果を得ることが
できる。
【００８１】
さらに、高色温度の光源２０及び低色温度の光源２０が、それぞれ複数設けられている
ので、使用目的に応じるとともに使用者の好みに応じた適切な調光を容易に行うことがで
きる。
【００８２】
なお、光源２０が蛍光灯または白熱灯であるので、容易に入手することができ、製造コ
ストを抑制することができる。また、複数の光源２０のうち一部が使用できなくなっても
、すぐに取り替えることができる。
【００８３】
そして、この照明装置１０は、照明装置本体１１が部屋Ｒの床面３０から天井面３１ま
で上下方向に沿って延びた、いわゆる柱形状を呈しているので、設置スペースが少なくな
って邪魔にならない。そして、室内を広く使用することも可能となる。
【００８４】
さらに、照明装置本体１１の下端部１１ａが床面３０に気密状態で接触し、上端部１１
ｂが天井面３１に気密状態で接触しているので、この照明装置本体１１の内部に塵埃が侵
入することがなくなる。これにより、光源に塵埃が付着して照度が低下することを防止で
きる。
【００８５】
そして、照明装置本体１１のハウジング１３が透光性を有しているので、光源２０から
照射された光がハウジング１３を介して照明装置本体１１の背面側にまで回り込み、部屋
Ｒの壁面Ｈも照射することができる。
【００８６】
さらに、このハウジング１３が、部屋Ｒの角部Ｃにほぼ密着するように屈曲した屈曲背
面部１６ａを備えているので、図５に示すように、部屋Ｒの角部Ｃに配置した場合、壁面
Ｈと照明装置本体１１との間隙がほとんどなくなり、この隙間に塵埃が入り込みにくくな
る。そのため、照明装置本体１１の裏面側にコンセントが位置して掃除しにくくなっても
、コンセントに塵埃が付着せず、漏電等の事故が発生するおそれがなくなる。
【００８７】
また、このように角部Ｃに配置することで設置スペースが少なくなり、室内を広く使う
ことができる。そして、壁面照射となるので、天井面３１に設置する天井照明と比較して
より明るさを増す（照度を向上させる）ことが可能となる。
【００８８】
特に、図７に示すように、照明装置本体１１が壁面Ｈに直接取り付けられた場合では、
照明装置本体１１のハウジング１３が図示しないコンセントごと光源２０を覆うこととな
る。そのため、ハウジング１３が壁面Ｈに設けられたコンセントの周囲を覆う囲い手段と
なって、コンセントがハウジング１３内に配設されて、塵埃の付着を確実に防止すること
ができる。
【００８９】
また、ハウジング１３に設けられたプラグ１７が屈曲背面部１６ａに形成されたスリッ
ト１８の内側に摺動可能に嵌合しているので、コンセントの高さに応じてプラグ１７の位
置を変更できる。そのため、プラグ１７をコンセントに直接接続することが可能となり、
電源コードが不要となって外観品質が向上する。
【００９０】
さらに、プラグ１７の上下に開いたスリット１８がそれぞれ上側遮断板１８ａと下側遮
断板１８ｂとによって閉成されているので、スリット１８から塵埃が入り込むことが防止
され、故障等の不具合の発生を防止することができる。
【００９１】
一方、ハウジング１３の前面側に設けられた前面パネル１３ｂが開閉自在となっている
ので、光源２０の交換が容易に行うことができるとともに、このハウジング１３内部の掃
除も容易に行うことが可能となる。
【００９２】
さらに、ハウジング１３の上下方向中間部に位置する第二区画１３ｂが収納部となって
いるので、室内の照明だけでなく収納機能も備えることができて、照明装置本体１１の使
い勝手が向上する。また、この第二区画１３ｂにより、上側に位置する第一区画１３ａに
配設された光源２０である第一、第二蛍光灯２１ａ、２１ｂと、下側に位置する第三区画
１３ｃに配設された光源２０である第一〜第四白熱灯２２ａ〜２２ｄとの間が十分に広く
なる。これにより、リフレッシュ感やリラックス感をさらに高めることも可能となる。
【００９３】
以上、この発明にかかる実施の形態の一つを図面により詳述してきたが、具体的な構成
は上述の実施の形態に限らない。この発明の要旨を逸脱しない範囲の設計の変更等はこの
発明に含まれる。
【００９４】
例えば、上述の照明装置１０では、照明装置本体１１が柱形状を呈しているが、図８に
示すように、壁面Ｈに密着する取付フランジ部４０を照明装置本体１１に設けてもよい。
【００９５】
この取付フランジ部４０を壁面Ｈに密着させた状態でネジＮ等によって固定することに
より、容易に照明装置本体１１の裏面側に塵埃が入り込みにくくすることができる。また
、照明装置本体１１が壁面Ｈに直接固定するので、照明装置本体１１が転倒しにくくなる
。
【００９６】
さらに、上述の照明装置１０では、コンセントを介して商用電源を使用しているが、図
示しないバッテリー等の蓄電手段を備えていてもよい。これにより、部屋Ｒ内にコンセン
トがない場合であっても任意の場所に設置することが可能となる。また、電源コードが不
要となり、外観品質も向上する。
【００９７】
そして、上述の照明装置１０は部屋Ｒの角部Ｃに配置されているが、これに限らず、図
９（ａ）に示すように、部屋Ｒの中央部近傍に配置してもよい。この場合、照明装置本体
１１が柱のようになり、天井面３１を支持することができる。
【００９８】
さらに、図９（ｂ）に示すように、部屋Ｒの壁面Ｈに複数設けてもよい。この場合、壁
面オブジェのようになり、室内の見栄えが向上する。
【００９９】
また、上述の照明装置１０では、光源２０が遮光板１４とハウジング１３の前面パネル
１６ｂとの間に設けられているが、光源２０を遮光板１４の後方側、つまりハウジング１
３の屈曲背面部１６ａと遮光板１４との間に配置してもよい。
【０１００】
この場合、壁面Ｈに直接照射することができるとともに、前方に向かって照射される光
はハウジングを介して前方へ回り込んだ柔らかい感じの光となる。また、前方から光源２
０が直接見えなくなる。これにより、いわゆる間接照明のような照明を行うことができ、
特にリラックス感を高める照明を行うことが可能となる。
【０１０１】
以上説明したように、この発明の照明装置１０では、一つの照明装置、いわゆる一灯照
明で、使用者を十分に覚醒させてリフレッシュさせたり、落ち着いた照明によりリラック
スさせたりすることができる。
【０１０２】
また、複数の照明装置を使用する多灯照明や部分照明とは異なり、照明装置が一つであ
るので室内のコーディネートも容易に行うことができ、室内空間を有効に利用して整然と
した印象を与えることが可能となる。
【０１０３】
そして、部屋Ｒの角部Ｃに配置した場合では、設置スペースが少なくなり、室内を広く
使うことができるとともに、壁面照射となるので、天井面３１に設置する天井照明と比較
してより明るさを増すことができる。
【０１０４】
さらに、プラグ１７をコンセントに直接接続することにより、電源コードが不要となっ
て外観品質が向上する。また、壁面Ｈと照明装置本体１１との間隙がなくなり、この隙間
に塵埃が入り込みにくくなる。
【０１０５】
また、第一〜第四白熱灯２２ａ〜２２ｄを上下方向に配列するとともに、上方に位置し
た第一白熱灯２２ａから順に一つずつ消灯させることにより、よりリラックス感を向上さ
て十分リラックスする照明を行うことが可能となる。
【図面の簡単な説明】
【０１０６】
【図１】この発明にかかる照明装置を示す一部分解斜視図である。
【図２】この発明にかかる照明装置を後方から見た場合の斜視図である。
【図３】図２に示す矢印側から見た場合の背面図である。
【図４】切替選択手段と光源との接続を説明するブロック図である。
【図５】この発明にかかる照明装置の配置を示す説明図である。
【図６】（ａ）は、この発明にかかる照明装置で高色温度の光源を点灯させた場合を示す説明図であり、（ｂ）は、この発明にかかる照明装置で低色温度の光源を点灯させた場合を示す説明図である。
【図７】この発明にかかる照明装置の第二実施例を示す説明図である。
【図８】この発明にかかる照明装置の第三実施例を示す説明図である。
【図９】（ａ）は、この発明にかかる照明装置の配置の第二例を示す説明図であり、（ｂ）は、この発明にかかる照明装置の配置の第三例を示す説明図である。
【図１０】従来の照明装置を示す説明図である。
【符号の説明】
【０１０７】
１０      照明装置
１１      照明装置本体
１２      コントロール装置（切替選択手段）
２０      光源
３０      床面
３１      天井面
【図１】
2006085991.tif 000003
【図２】
2006085991.tif 000004
【図３】
2006085991.tif 000005
【図４】
2006085991.tif 000006
【図５】
2006085991.tif 000007
【図６】
2006085991.tif 000008
【図７】
2006085991.tif 000009
【図８】
2006085991.tif 000010
【図９】
2006085991.tif 000011
【図１０】
2006085991.tif 000012